(57)【要約】【課題】装着感および耐久性を損なうことを防ぐことができるコネクタを提供する。【解決手段】スナップボタン型コネクタは、導電性を有する第１の布１と、導電性を有する第２の布２と、第１の布１の他端と第２の布２の他端とを機械的および電気的に脱着可能に接続するスナップボタン３とを備える。このスナップボタン３は、第１の布１に機械的および電気的に接続され、導電性を有する材料からなる雄型スナップボタン４と、第２の布２に機械的および電気的に接続され、導電性を有する材料からなる雌型スナップボタン５とから構成される。【選択図】  図２
2015135723.tif 000002
【特許請求の範囲】
【請求項１】
導電性を有する第１の布と、
導電性を有する第２の布と、
前記第１の布に機械的および電気的に接続され、導電性を有する材料からなる雄型スナップボタンと、
前記第２の布に機械的および電気的に接続され、導電性を有する材料からなり、前記雄型スナップボタンと嵌合する雌型スナップボタンと
を備えたことを特徴とするスナップボタン型コネクタ。
【請求項２】
請求項１記載のスナップボタン型コネクタにおいて、
前記雄型スナップボタンおよび前記雌型スナップボタンは、糸により前記第１の布または前記第２の布に機械的に接続される
ことを特徴とするスナップボタン型コネクタ。
【請求項３】
請求項２記載のスナップボタン型コネクタにおいて、
前記糸は、導電性糸からなる
ことを特徴とするスナップボタン型コネクタ。
【請求項４】
請求項１記載のスナップボタン型コネクタにおいて、
前記雄型スナップボタンおよび前記雌型スナップボタンは、カシメにより前記第１の布または前記第２の布に機械的に接続される
ことを特徴とするスナップボタン型コネクタ。
【請求項５】
請求項１乃至４の何れか１項に記載のスナップボタン型コネクタにおいて、
前記雄型スナップボタンおよび前記雌型スナップボタンは、表面に金メッキが施されている
ことを特徴とするスナップボタン型コネクタ。
【発明の詳細な説明】
【技術分野】
【０００１】
本発明は、スナップボタン型コネクタに関するものである。
【背景技術】
【０００２】
近年、電子部品の集積化により、コンピュータ、各種センサ、通信装置、アンテナなどを身に着けた状態で動作させる「ウエアラブルデバイス」が注目を浴びている。このウエアラブルデバイスでは、検出した情報を送出したり、駆動信号を受信したり、電力の供給を受けたりするために、各デバイス間を電気的に接続する必要がある。また、この接続は、ウエアラブルデバイスの着脱時や洗濯時には外す必要がある。そこで、例えば、各デバイスに接続されたコードやケーブル等の配線をＰＣＢ（Poly Chlorinated Biphenyl）コネクタなどコネクタを介して接続することが行われている（例えば、非特許文献１参照。）。この一例を図１０に示す。
【０００３】
この図１０においては、衣類１００に取り付けられたセンサ１０１と測定器１０２とが円筒状のコネクタ１０３を介して接続されている。このコネクタ１０３は、それぞれ絶縁性の材料からなり、円柱状のセンサ側ハウジング１０４および測定器側ハウジング１０５とから構成されている。
【０００４】
センサ側ハウジング１０４の一方の底面には、センサ１０１のケーブル１０１ａの一端がはんだ１０４ａにより接続され、他方の底面には、ハウジング内部でケーブル１０１ａと電気的に接続され、軸線方向に突出した棒状の凸型電極１０４ｂが形成されている。
また、測定器側ハウジング１０５の一方の底面には、測定器１０２のケーブル１０２ａの一端がはんだ１０５ａにより接続され、他方の底面には、ハウジング内部でケーブル１０２ａと電気的に接続され、軸線方向に沿って柱状に穿設された凹型電極１０５ｂが設けられている。
【０００５】
このようなコネクタ１０３は、センサ側ハウジング１０４の凸型電極１０４ｂを測定器側ハウジング１０５の凹型電極１０５ｂに挿入することにより、センサ側ハウジング１０４と測定器側ハウジング１０５とを機械的に接続するとともに、センサ１０１と測定器１０２とを電気的に接続する。
また、衣類１００を洗濯するときなどには、凸型電極１０４ｂを凹型電極１０５ｂから引き抜くことにより、センサ側ハウジング１０４と測定器側ハウジング１０５とが機械的に分離されるとともに、センサ１０１と測定器１０２との電気的な接続が解かれることとなる。
【先行技術文献】
【非特許文献】
【０００６】
【非特許文献１】C. Park, P. H. Chou, Y. Bai, R. Matthews, and A. Hibbs, “Anultra-wearable, wireless, low power ECG monitoring system,” in Proc.IEEE Biomedical Circuit System Conf., London, U.K., Nov. 2006, pp.241-244
【発明の概要】
【発明が解決しようとする課題】
【０００７】
しかしながら、上述したようなコネクタで機器間を接続すると、ある程度の大きさを有するハウジングの存在により、衣類としての装着感が悪いものとなったり、洗濯時にハウジングと衣類が接触して衣類の耐久性が低下したりしていた。
【０００８】
そこで、本発明は、装着感および耐久性を損なうことを防ぐことができるコネクタを提供することを目的とする。
【課題を解決するための手段】
【０００９】
上述したような課題を解決するために、本発明に係るスナップボタン型コネクタは、導電性を有する第１の布と、導電性を有する第２の布と、前記第１の布に機械的および電気的に接続され、導電性を有する材料からなる雄型スナップボタンと、前記第２の布に機械的および電気的に接続され、導電性を有する材料からなり、前記雄型スナップボタンと嵌合する雌型スナップボタンとを備えたことを特徴とするものである。
【００１０】
上記スナップボタン型コネクタにおいて、雄型スナップボタンおよび前記雌型スナップボタンは、糸により前記第１の布または前記第２の布に機械的に接続されるようにしてもよい。
ここで、糸は、導電性糸からなるようにしてもよい。
【００１１】
また、上記スナップボタン型コネクタにおいて、雄型スナップボタンおよび前記雌型スナップボタンは、カシメにより前記第１の布または前記第２の布に機械的に接続されるようにしてもよい。
【００１２】
また、上記スナップボタン型コネクタにおいて、雄型スナップボタンおよび雌型スナップボタンは、表面に金メッキが施されているようにしてもよい。
【発明の効果】
【００１３】
本発明によれば、雄型および雌型のスナップボタンによって第１の布と第２の布を機械的および電気的に接続することにより、衣類としての装着感や洗濯時の耐久性が損なわれることを防ぐことができる。
【図面の簡単な説明】
【００１４】
【図１】図１は、本発明の実施の形態に係るスナップボタン型コネクタの使用例を示す図である。
【図２】図２は、本発明の第１の本実施の形態に係るスナップボタン型コネクタの構成を示す側部断面図である。
【図３】図３は、スナップボタンの構成を示す平面図である。
【図４】図４は、本発明の第２の実施の形態に係るスナップボタン型コネクタの構成を示す要部断面図である。
【図５】図５は、本発明の第３の実施の形態に係るスナップボタン型コネクタの構成を示す要部断面図である。
【図６】図６は、本発明の第４の実施の形態に係るスナップボタン型コネクタにおける雄型スナップボタンの分解斜視図である。
【図７】図７は、本発明の第４の実施の形態に係るスナップボタン型コネクタにおける雌型スナップボタンの分解斜視図である。
【図８】図８は、本発明の第４の実施の形態に係るスナップボタン型コネクタにおける雄型スナップボタンの側部断面図である。
【図９】図９は、本発明の第４の実施の形態に係るスナップボタン型コネクタにおける雄型スナップボタンの変形例の側部断面図である。
【図１０】図１０は、従来のウエアラブルデバイスの構成を模式的に示す図である。
【発明を実施するための形態】
【００１５】
［第１の実施形態］
まず、本発明の第１の実施の形態について詳細に説明する。なお、本実施の形態では、図１に示すように、衣類１００に取り付けられるセンサ１０１と測定器１０２とを接続する場合を例に説明する。
【００１６】
図１，図２に示すように、本実施の形態に係るスナップボタン型コネクタは、衣類１００に取り付けられたセンサ１０１に一端が機械的および電気的に接続された第１の布１と、衣類１００に取り付けられた測定器１０２に一端が機械的および電気的に接続された第２の布２と、第１の布１の他端と第２の布２の他端とを機械的および電気的に脱着可能に接続するスナップボタン３とから構成されている。
【００１７】
第１の布１は、例えば、PEDOT-PSS (Poly(3,4-ethylenedioxythiophene):Poly(styrenesulfonate))等の導電性高分子のコーティングや銀のめっき等によって導電性が付された糸で形成された導電性を有する布からなる。本実施の形態において、第１の布１は、平面視略矩形に形成されており、長手方向における一端にセンサ１０１が接続され、他端に後述するスナップボタン３の雄型スナップボタン４が固定されている。これにより、第１の布１は、センサ１０１と雄型スナップボタン４とを電気的に接続する配線として機能する。
【００１８】
第２の布２は、第１の布１と同様の導電性を有する布から構成されている。また、本実施の形態において、第２の布２は、平面視略矩形に形成されており、長手方向における一端に測定器１０２が接続され、他端に後述するスナップボタン３の雌型スナップボタン５が固定されている。これにより、第２の布２は、測定器１０２と雌型スナップボタン５とを電気的に接続する配線として機能する。
【００１９】
スナップボタン３は、第１の布１の他端近傍に固定された雄型スナップボタン４と、第２の布２の他端近傍に固定された雌型スナップボタン５とから構成される。
【００２０】
雄型スナップボタン４は、公知の雄型のスナップボタンであり、導電性を有する材料から構成されている。具体的には、図２，図３に示すように、雄型スナップボタン４は円盤状に形成されており、上面にはこの面に対して垂直な方向に突出し、根本部分がくびれた凸部４１が設けられている。また、雄型スナップボタンの周縁部には、周方向に沿って等間隔に、厚さ方向に貫通した６つの取付孔４２が形成されている。
【００２１】
このような雄型スナップボタン４は、図２に示すように、下面を第１の布１に当接させた状態で、各取付孔４２を介して糸６により第１の布１に縫い付けることにより、第１の布１に機械的に接続される。このとき、雄型スナップボタン４の下面と第１の布１とが当接しているので、雄型スナップボタン４と第１の布１とは、電気的にも接続されることとなる。また、第１の布１の一端にはセンサ１０１が電気的に接続されているので、雄型スナップボタン４は、第１の布１を介してセンサ１０１と電気的に接続されることとなる。
なお、本実施の形態において糸６は、公知の手芸糸から構成されている。
【００２２】
雌型スナップボタン５は、公知の雌型のスナップボタンであり、導電性を有する材料から構成されている。具体的には、図２，図３に示すように、雌型スナップボタン５は円盤状に形成されており、上面には、下面に向かって穿設された凹部５１が形成されている。この凹部５１内部には、両端が凹部５１の内周面に固定された２本の棒状のばね部５２が架設されている。また、雌型スナップボタン５の周縁部には、周方向に沿って等間隔に、厚さ方向に貫通した６つの取付孔５３が形成されている。
【００２３】
このような雌型スナップボタン５は、図２に示すように、下面を第２の布２に当接させた状態で、各取付孔５３を介して糸７により第２の布２に縫い付けることにより、第２の布２に機械的に接続される。このとき、雌型スナップボタン５の下面と第２の布２とが当接しているので、雌型スナップボタン５と第２の布２とが電気的にも接続されることとなる。また、第２の布２の一端には測定器１０２が電気的に接続されているので、雌型スナップボタン５は、第２の布２を介して測定器１０２と電気的に接続されることとなる。
なお、本実施の形態において糸７は、公知の手芸糸から構成されている。
【００２４】
次に、本実施の形態に係るスナップボタン型コネクタの着脱方法について説明する。
【００２５】
まず、スナップボタン型コネクタを接続する場合、雄型スナップボタン４の凸部４１を雌型スナップボタン５の凹部５１に挿入する。すると、凸部４１のくびれが凹部５１内のばね部５２に係止され、雄型スナップボタン４が雌型スナップボタン５から抜け止めされる。すなわち、雄型スナップボタン４および雌型スナップボタン５は係合され、機械的に接続された状態となる。このとき、雄型スナップボタン４と雌型スナップボタン５とは、凸部４１と凹部５１やそれぞれの上面同士が接触した状態となっている。これにより、雄型スナップボタン４と雌型スナップボタン５とは、電気的にも接続されることとなる。
【００２６】
また、上述したように、雄型スナップボタン４は第１の布１を介してセンサ１０１と電気的に接続され、雌型スナップボタン５は第２の布２を介して測定器１０２と電気的に接続されている。したがって、センサ１０１と測定器１０２とは、第１の布１、雄型スナップボタン４、雌型スナップボタン５および第２の布２を介して、互いに電気的に接続されることとなる。
【００２７】
ここで、第１の布１、第２の布２は、布状なので柔軟性がある。また、雄型スナップボタン４および雌型スナップボタン５は、ＰＣＢコネクタと比較して薄いものである。したがって、衣類１００を装着したユーザにとって、違和感が少ないものとなる。
【００２８】
一方、衣類１００の洗濯時などスナップボタン型コネクタの接続を外す場合、雄型スナップボタン４と雌型スナップボタン５とを互いに離間する方向に力を加える。すると、凸部４１のくびれとばね部５２との係止が外れ、雄型スナップボタン４が雌型スナップボタン５から外れ抜ける。これにより、雄型スナップボタン４と雌型スナップボタン５の機械的および電気的な接続が解かれる。したがって、センサ１０１と測定器１０２とも電気的に接続されていない状態となる。
【００２９】
ここで、第１の布１や第２の布２は布状なので柔軟性があり、雄型スナップボタン４および雌型スナップボタン５は薄型なので、衣類１００と一緒に洗濯した場合であっても、衣類１００が損傷することを防ぐことができる。
【００３０】
このように、本実施の形態によれば、雄型スナップボタン４と雌型スナップボタン５によって第１の布１と第２の布２を機械的および電気的に接続するので、衣類としての装着感や洗濯時の耐久性を損なうことを防ぐことができる。
【００３１】
なお、本実施の形態において、第１の布１および第２の布２は、スナップボタン３とセンサ１０１または測定器１０２とを接続する配線として機能する場合を例に説明したが、例えば、スナップボタン３の近傍の面積を大きくすることによって、導電性布によって形成される電極（センサ）として機能させるようにすることもできる。例えば、心電図などの生体信号受信用電極として機能させることができる。
【００３２】
また、本実施の形態において、第１の布１および第２の布２は、センサ１０１または測定器１０２と直接に接続される場合を例に説明したが、そのように直接に接続しないようにしてもよい。例えば、第１の布１とセンサ１０１との間にケーブル等を接続するようにしてもよい。
【００３３】
［第２の実施形態］
次に、本発明に係る第２の実施の形態について説明する。なお、本実施の形態において、第１の実施の形態と同等の構成については、同じ名称および符号を付し、適宜説明を省略する。
【００３４】
本実施の形態に係るスナップボタン型コネクタは、図４に示すように、雄型スナップボタン４を第１の布１に固定するための糸８、および、雌型スナップボタン５を第２の布２に固定するための糸９として、導電性を有する材料からなる導電性糸を用いるようにしたものである。この導電性糸としては、例えば、例えば銀メッキナイロンを用いことができる。
【００３５】
これにより、本実施の形態では、導電性を有しない手芸糸を用いる場合よりも、第１の布１と雄型スナップボタン４、および、第２の布２と雌型スナップボタン５の間の接触抵抗を低減させることができる。
【００３６】
［第３の実施の形態］
次に、本発明に係る第３の実施の形態について説明する。なお、本実施の形態において、第１の実施の形態と同等の構成については、同じ名称および符号を付し、適宜説明を省略する。
【００３７】
本実施の形態に係るスナップボタン型コネクタは、図５に示すように、雄型スナップボタン４および雌型スナップボタン５の表面にそれぞれ金メッキ１０を施すようにしたものである。
この金メッキ１０を形成することにより、洗濯時等における水分付着によって錆が発生したり、雄型スナップボタン４と雌型スナップボタン５の接続時に接触抵抗を低減させたり、人体との接触時に金属アレルギーの発生を抑制したりすることができる。
【００３８】
なお、本実施の形態において、雄型スナップボタン４を第１の布１に固定するための糸６、および、雌型スナップボタン５を第２の布２に固定するための糸７は手芸糸から構成されているが、第２の実施の形態と同様、導電性糸を用いるようにしてもよい。
【００３９】
［第４の実施形態］
次に、本発明に係る第４の実施の形態について説明する。なお、本実施の形態は、雄型および雌型のスナップボタンをカシメによって第１の布または第２の布に固定するものである。第１の実施の形態と同等の構成については同じ名称および符号を付して、適宜説明を省略する。
【００４０】
第１の布１には、長手方向における他端に後述するスナップボタン３’の雄型スナップボタン４’を固定するための孔１１が形成されている。
【００４１】
第２の布２には、長手方向における他端に後述するスナップボタン３’の雌型スナップボタン５’を固定するための孔２１が形成されている。
【００４２】
スナップボタン３’は、図６，図７に示すように、第１の布１の他端近傍に固定された雄型スナップボタン４’と、第２の布２の他端近傍に固定された雌型スナップボタン５’とから構成される。
【００４３】
雄型スナップボタン４’は、図６に示すように、本体４ａと、取付板４ｂとから構成されている。
本体４ａは、円盤状に形成されており、上面にはこの面に対して垂直な方向に突出し、根本部分がくびれた凸部４１が設けられている。また、下面の周縁部には、周方向に沿って等間隔に６つの取付孔４３が形成されている。この取付孔４３は、それぞれ下面の周縁部と、この近くの周面とを連通している。
取付板４ｂは、中央部に円形の開口を有する輪の板状に形成されており、一方の面（以下、「上面」と言う。）には、三角形の板状の歯４４が周方向に沿って等間隔に立設されている。
【００４４】
このような雄型スナップボタン４’は、取付板４ｂの歯４４を、第１の布１の孔１１に挿通させた後、本体４ａの取付孔４３の下面側の開口に挿入して周面側の開口から導出させ、先端部を第１の布１の方に押し曲げることにより、図８に示すように第１の布１に固定される。
【００４５】
一方雌型スナップボタン５’は、図７に示すように、本体５ａと、取付板５ｂとから構成されている。
本体５ａは、円盤状に形成されており、一方の面（以下、「上面」と言う。）には、他方の面（以下、「下面」と言う。）に向かって穿設された凹部５１が形成されている。この凹部５１内部には、２本の棒状のばね部５２が架設されている。また、下面の周縁部には、６つの取付孔５４が周方向に沿って等間隔に形成されている。この取付孔５４は、それぞれ下面の周縁部と、この近くの周面とを連通している。
取付板５ｂは、中央部に円形の開口を有する輪の板状に形成されており、一方の面（以下、「上面」と言う。）には、三角形の板状の歯５５が周方向に沿って等間隔に立設されている。
【００４６】
このような雌型スナップボタン５’は、取付板５ｂの歯５５を、第２の布２の孔２１に挿通させた後、本体５ａの取付孔５４の底面側の開口に挿入して周面側の開口から導出させ、先端部を第２の布２に向かって押し曲げることにより、第２の布２に固定される。
【００４７】
このように、本実施の形態によれば、カシメによって、雄型スナップボタン４’と雌型スナップボタン５’を第１の布１または第２の布２に固定することができる。
【００４８】
また、本実施の形態では、取付板の歯を本体の取付孔から導出させることにより布にスナップボタンを固定する場合を例に説明したが、布にスナップボタンを固定させる方法はこれに限定されず、適宜自由に設定することができる。例えば、図９に示すように、雄型スナップボタン４”の本体４ａ’に、底面に開口し内部がその底面の開口よりも広い凹部５６を形成し、第１の布１の孔１１を挿通させた後の歯４４を、凹部５６の内周面に沿って変形させる。このようにしても、雄型スナップボタン４”を第１の布１に固定することができる。なお、雌型スナップボタンについても、これと同様の方法により、第２の布２に固定することができることは言うまでもない。
【００４９】
また、本実施の形態において、上述した第３の実施の形態と同様、雄型スナップボタン４’および雌型スナップボタン５’の表面に金メッキを施すようにしてもよい。
【産業上の利用可能性】
【００５０】
本発明は、２つの装置を接続する各種コネクタに適用することができる。
【符号の説明】
【００５１】
１…第１の布、２…第２の布、３，３’…スナップボタン、４，４’，４”…雄型スナップボタン、４ａ…本体、４ｂ…取付板、５，５’…雌型スナップボタン、５ａ…本体，５ｂ…取付板、６，７…糸、８，９…導電糸、１０…金メッキ、４１…凸部、４２，４３…取付孔、４４…歯、５１…凹部、５２…ばね部、５３，５４…取付孔、５５…歯。
【図１】
2015135723.tif 000003
【図２】
2015135723.tif 000004
【図３】
2015135723.tif 000005
【図４】
2015135723.tif 000006
【図５】
2015135723.tif 000007
【図６】
2015135723.tif 000008
【図７】
2015135723.tif 000009
【図８】
2015135723.tif 000010
【図９】
2015135723.tif 000011
【図１０】
2015135723.tif 000012